(57)【要約】【課題】テロップ表示領域の大きさ、設置方向、フォントサイズ、文字数により、テロップの表示速度を制御する装置を提供する。【解決手段】表示部に表示するテロップ表示領域の大きさ、設置方向、フォントサイズ、文字数の情報のような表示領域情報を取得し、この表示領域情報に基づきテロップの表示速度を決定し、その決定された表示速度でテロップをスクロール表示する。【選択図】図１
2008170544.tif 000002
【特許請求の範囲】
【請求項１】
テロップデータを記憶するテロップデータ記憶部と、
前記テロップデータを表示する表示部と、
前記表示部にテロップデータを表示するための表示領域に関する情報を取得する表示領域情報取得部と、
前記表示領域情報に関する情報に基づき前記テロップデータの表示速度を決定する表示速度決定部と、
前記決定された表示速度でテロップデータの表示速度を制御する表示制御部と
を備えることを特徴とするテロップ表示制御装置。
【請求項２】
前記表示領域に関する情報は、テロップ表示領域の大きさ、画面の設置方向、テロップのフォントサイズ、またはテロップの文字数の少なくとも１つを含むことを特徴とする請求項１に記載のテロップ表示制御装置。
【請求項３】
更に、前記テロップデータを表示する表示領域を設定するテロップ表示領域設定部を備えることを特徴とする請求項１に記載のテロップ表示制御装置。
【請求項４】
テロップデータを記憶するテロップデータ記憶部よりテロップデータを取得するテロップデータ取得ステップと、
表示部にテロップデータを表示するための表示領域に関する情報を取得する表示領域情報取得ステップと、
前記表示領域に関する情報に基づきテロップデータの表示速度を決定する表示速度決定ステップと、
前記決定された表示速度でテロップデータの表示速度を制御する表示制御ステップと
を備えることを特徴とするテロップ表示制御方法。
【発明の詳細な説明】
【技術分野】
【０００１】
本発明は、テロップの表示速度を制御する装置および方法に関し、テロップが読み取りやすくなるように表示速度を制御するテロップ表示制御装置およびテロップ表示制御方法に関するものである。
【背景技術】
【０００２】
映画、テレビ、カラオケにおいて、翻訳言語、台詞、場面説明または歌詞などを表示するためにテロップが表示画面に挿入される。あるいは表示画面に隣接して配置した表示部によりテロップが表示される。
テロップの表示制御技術が例えば、特許文献１〜６に開示されている。
特許文献１は、ＣＡＰＴＡＩＮ（Character And Pattern Telephone Access Information Network）システムやＣＤ−Ｇはデータレートが低いために短時間にダイナミックに変化する字幕が表示できなかった。そのため、色データを記憶するカラールックアップテーブルと、字幕の色データを記憶しているカラールックアップテーブルのアドレスを検出する検出手段を備え、検出手段によって検出されたアドレスを字幕の色情報として伝送するものである。
これにより、色情報を、カラールックアップテーブルのアドレス情報によって伝送することができるので、データレートを低くすることができる。その結果、高品質の字幕をユーザの好みにより表示させることができるとともに、背景のビデオを劣化させずに、字幕の表示を高速で切換えることができる。
【０００３】
特許文献２は、演奏曲の歌詞テロップの切換表示タイミングで背景映像を切換えるものであり、映像切換予定時刻に合わせてテロップの表示速度を制御するものである。
特許文献３は、曲演奏情報の中に、演奏用データと、歌詞テロップデータと、表示切換フラグを挿入し、ＣＰＵが表示切換フラグを認識すると、歌詞テロップと背景画像を同時に切換えることにより、カラオケの演奏にあわせてテロップと映像を切換えるものである。
特許文献４は、カラオケの歌詞テロップを表示する装置であって、文字サイズ設定手段を備え、設定された文字サイズで歌詞テロップを表示するものである。また楽曲のテンポ情報に基づいて画面に表示する文字数を変化させ、あるいは文字サイズを変化させるものである。
特許文献５は、各単語にそれぞれ関連づけられた色情報と時間情報からなる単語変換表を記憶し、入力された各単語について単語変換表にあるか検索し、検索された単語に単語変換表から読み出した色情報と時間情報からなるキーフレームを生成するものである。これにより、テロップ文字の色を変化させたり、表示時間を変化させたりするものである。
特許文献６は、字幕、メニュー、カラオケの歌詞表示などのサブピクチャの表示形式をユーザが表示色、サイズ、位置またはスクロール速度を設定することにより変更できるものである。
【特許文献１】特開平７−２３１４３５号公報
【特許文献２】特開平７−３１９４８５号公報
【特許文献３】特開平７−３１９４８４号公報
【特許文献４】特開平７−３３４１７８号公報
【特許文献５】特開２０００−３２３４１号公報
【特許文献６】特開２００１−７８１４９号公報
【発明の開示】
【発明が解決しようとする課題】
【０００４】
上記特許文献１〜６やその他従来技術において、テロップは、テロップと同一画面に表示される映像または画像の附属として表示されるものであり、その場合、テロップは映像または画像の変化と同期して、表示が変化し、または切換えられる。すなわち、映画やテレビの場合は、俳優の口に合わせて翻訳語や台詞が表示され、また場面の切換えに同期して場面説明が表示される。カラオケの場合は、演奏に合わせて歌詞が表示される。またユーザがテロップに色をつけたり、表示速度を変えたりするものであった。
また従来の広告用、宣伝用に使用されるテロップ表示装置は、画面に表示されるテロップの長さが変化しても、テロップの表示速度は一定であった。
【０００５】
本発明は上記のように映像または画像の附属として同期または連動表示されるテロップではなく、映像または画像とは独立して、あるいは単独に表示されるようなテロップの表示制御装置および方法に関する。例えば、本発明において、テロップは、公共施設などに設置される情報表示モニター、広告塔やビルの壁面に表示される広告表示装置や宣伝表示装置に表示されるものであり、またテレビ画面に、テレビ映像とは関係なく表示される臨時ニュースや速報あるいはお知らせ、注意事項のようなものである。またテロップは文字だけでなく、絵、写真や漫画のような静止画、或いはアニメーションや動画のような画像であってもよく、またテロップは表示領域上を上から下へ、右から左へのように一方向に流れるスクロール表示だけでなく、テロップの一区切りを切換えて表示するような態様も本発明の対象である。
すなわち、本発明は、テロップ表示領域の大きさ、画面の設置方向、テロップのフォントサイズ、またはテロップの文字数などテロップを表示するための表示領域情報により、テロップの表示速度を制御する装置および方法を提供するものである。
【課題を解決するための手段】
【０００６】
本発明のテロップ表示制御装置は、上記課題を解決するために、テロップデータを記憶するテロップデータ記憶部と、前記テロップデータを表示する表示部と、前記表示部にテロップデータを表示するための表示領域に関する情報を取得する表示領域情報取得部と、前記表示領域情報に関する情報に基づき前記テロップデータの表示速度を決定する表示速度決定部と、前記決定された表示速度でテロップデータの表示速度を制御する表示制御部とを備える。
【０００７】
本発明のテロップ表示制御装置は、前記表示領域に関する情報は、テロップ表示領域の大きさ、画面の設置方向、テロップのフォントサイズ、またはテロップの文字数の少なくとも１つを含むとよい。更に、前記テロップデータを表示する表示領域を設定するテロップ表示領域設定部を備えることが好ましい。
【０００８】
また本発明は別の観点によれば、テロップ表示制御方法であり、テロップデータを記憶するテロップデータ記憶部よりテロップデータを取得するテロップデータ取得ステップと、表示部にテロップデータを表示するための表示領域に関する情報を取得する表示領域情報取得ステップと、前記表示領域に関する情報に基づきテロップデータの表示速度を決定する表示速度決定ステップと、前記決定された表示速度でテロップデータの表示速度を制御する表示制御ステップとを備える。
【発明の効果】
【０００９】
本発明によれば、テロップ表示領域の大きさ、画面の設置方向、テロップのフォントサイズ、またはテロップの文字数のように、表示領域に関する情報に対応した表示速度でテロップデータを表示することができ、その結果、テロップが読み取りやすくなり、視聴者に知らせたいテロップ内容を確実に視認させることができる。これにより、広告効果、宣伝効果を顕著にすることができる。
【発明を実施するための最良の形態】
【００１０】
（実施形態１）
図１は実施形態１の構成を示すブロック図である。
このブロック図において、本発明の特徴部分は、テロップデータ蓄積部１３０、番組情報蓄積部１４０、テロップデータ解析部１５０、テロップ表示速度制御部１６０、テロップ表示方向制御部１８０によって構成される。これら特徴部分が他の部分と協働して本発明のテロップ表示制御装置を構成する。
【００１１】
以下に本発明のテロップ表示制御装置の各部分を説明する。
制御部１０は、記録媒体に格納した本発明のプログラムを読み出して、本発明のフローチャートを実行する部分であり、本発明のテロップ表示制御装置全体を制御するＣＰＵなどにより構成される部分である。制御部１０は、マイクロプロセッサ（Microprocessor）、プログラミングすることができるＬＳＩ（Large Scale Integration）であるＦＰＧＡ（Field Programmable Gate Array）、特定用途のために設計、製造される集積回路であるＡＳＩＣ（Application Specific Integration Circuit）その他の演算機能を有する回路のいずれであってもよい。
インターネットなどの外部ネットワーク２０は、通信インターフェース３０を介して、本発明のテロップ表示制御装置と接続され、相互に通信を行う。これを用いてテロップ文字データ、静止画データや動画データのような画像データ、番組情報を取得することができる。
入力部４０は、キーボードのような文字入力装置、マウスまたはポインティングデバイスなどからなる部分である。また外部ネットワーク２０などから情報を取り込む通信部であってもよい。入力部４０は、これらの構成部分を使用して、テロップ文字、絵、漫画または写真など、あるいはアニメーションや動画など、あるいはこれらの組合わせを入力し、または取り込む。本発明ではこれらを総称して、画像ということもある。また入力部４０は、本発明のテロップ表示制御装置に動作指示、命令、指示または選択を入力する部分である。
【００１２】
表示部５０は、入力された映像信号を表示する部分であり、テロップとともに表示する表示画面である。この表示画面は、液晶モニタモジュール、プラズマ表示装置、ブラウン管表示装置またはＬＥＤ表示装置などにより構成される。
音声出力部６０は、例えばスピーカであり、音声信号を音響振動に変換する部分である。
ＲＯＭ７０は、例えば本発明の制御プログラムや通信インターフェース３０、入力部４０または表示部５０を制御するプログラムを格納する半導体装置、ＣＤよりなる記憶媒体である。
ＲＡＭ８０は、制御部１０によってデータアクセスされ、一時的にデータを記憶するワークメモリとして使用する高速書き込み、読み出しが可能な半導体装置よりなる記憶媒体である。
不揮発メモリ９０は、設定データを記憶するために備えられ、電源が供給されなくてもデータを不揮発に保持可能な記憶媒体である。
【００１３】
記録媒体１００は、例えばハードディスクよりなり、本発明では、静止画データ、動画データ、画像データ、テロップデータまたは番組情報のような大容量データを記憶する。これらデータは以下のような部分に仮想的に分けて蓄積される。
動画データ蓄積部１１０は、制御部１０の制御指示に従って表示部５０に表示するための動画データを格納する部分である。動画は、映画、テレビ番組、カラオケなどである。また本発明では、テロップとして表示するために使用する動画も含む。
画像データ蓄積部１２０は、制御部１０の制御指示に従って表示部５０に表示するための画像データ、特に静止画データを格納する部分である。静止画は、映画、テレビ、カラオケなどに使用される画像である。また本発明のテロップとして使用する静止画も含む。
【００１４】
テロップデータ蓄積部１３０は、制御部１０の制御指示に従って表示部５０に表示するためのテロップデータを格納する部分である。例えば、図２（ａ）にテロップデータを示すように、テロップ１、テロップ２のようにテロップごとに、Ｘ座標、Ｙ座標、幅、高さ、記述形式、文字方向、フォント種、フォントサイズ、文字色、背景色、表示方向、表示速度、言語種またはテロップ文字列のように、テロップとその属性データをテーブル形式で格納する。
【００１５】
ここで、図２（ｂ）に示した凡例を参照すると、記述形式は、０がそのままを表し、１がＨＴＭＬ形式を表す。文字方向は、０が横書き、１が縦書き表す。フォント種は、０が明朝体、１がゴシック体を表す。文字色は、０が黒色、１が赤色、２が青色、３が緑色を表す。背景色は、０が黒色、１が赤色、２が青色、３が緑色を表す。表示方向は、０が右から左へ、１が下から上へを表す。表示速度は、０が遅く、５０が速いを０〜５０の数値で表す。言語種は、０が日本語、１が英語、２が中国語、３が韓国語を表す。
図２（ａ）（ｂ）に記載したテロップデータ、データ内容は一例であり、これ以上に、文字数、テロップ長さ、テロップ作成日、作成者、テロップ表示時間のようなデータおよびデータ内容があってもよい。更に、本発明では、テロップとして使用される絵、写真、漫画のような静止画、あるいはアニメーションや動画などの画像データと、その属性データを格納する。またある場合にはテロップデータは、図２（ａ）（ｂ）の全てのデータおよびデータ内容を備えなくてもよい。
【００１６】
番組情報蓄積部１４０は、図４で後述するように、番組情報設定画面のレイアウト情報を格納する部分である。また動画データ蓄積部１１０に格納している動画データ、画像データ蓄積部１２０に格納している画像データまたはテロップデータ蓄積部１３０に格納しているテロップデータあるいはこれらを組合わせたテロップデータを、表示タイミングと組み合わせた番組情報を格納する部分である。
【００１７】
テロップデータ解析部１５０は、テロップ文字データ蓄積部１３０に格納されているテロップデータの属性、例えば文字数、フォントサイズまたは表示エリアの大きさを解析する部分である。この他に色、書体、装飾または言語を解析する部分であってもよい。またテロップが絵、写真、漫画またはアニメーションや動画の場合は、それらの属性データを格納する部分である。
テロップ表示速度制御部１６０は、テロップデータ解析部１５０の解析結果情報に基づいてテロップの表示速度を制御する部分である。
テロップ表示時間制御部１７０は、テロップデータ解析部１５０の解析結果情報に基づいてテロップの表示時間を制御する部分である。
テロップ表示方向制御部１８０は、テロップデータ解析部１５０の解析結果情報に基づいてテロップの表示方向を制御する部分である。
なお、テロップデータ解析部１５０、テロップ表示速度制御部１６０、テロップ表示時間制御部１７０、テロップ表示方向制御部１８０は、本発明のテロップ表示制御装置が動作することにより仮想的に実現される機能部分である。
【００１８】
図３は本発明のテロップ表示制御装置によって表示部５０に表示される画像とテロップを説明する図であり、表示部５０の上方にテロップ２を表示するためのテロップ表示領域が形成され、下方の左半分にテロップ１を表示するためのテロップ表示領域が形成される。また表示部５０の中央左半分に動画または静止画の表示枠２が形成され、右半分に動画または静止画の表示枠１が形成される構成である。
図３に示した画面レイアウトは一例であり、表示枠と、テロップ表示領域はどのように配置してもよい。例えば、テロップ表示領域は１つでもよく、画面の右側または左側のように縦方向に配置してもよい。また動画または静止画の表示枠は１つでもかまわない。この他、任意のレイアウトが可能であり、テロップ表示領域の大きさも任意に変更することが可能である。
また本発明のテロップ表示制御装置は、画像表示部と組合わせずに、独立したテロップ表示装置として使用することも可能である。
【００１９】
図４は、≪番組情報設定画面―レイアウト≫の一例を示す。図４は、図３に示した表示部５０の画面レイアウトに対応し、左側に表示部５０の画面レイアウトイメージを示し、右側にレイアウト設定画面を示す。この図４では、図３と同様に、画面上部にテロップ２の表示枠があり、画面下部の左半分にテロップ１の表示枠がある配置を示す。そして画面中央部左半分に画像の表示枠２があり、画面中央部右側に画像の表示枠１が配置されている様子を示す。
このような画面レイアウトイメージに対して、レイアウト設定画面は、表示枠１、表示枠２、テロップ１及びテロップ２の表示領域について、それぞれＸ座標、Ｙ座標、幅および高さを数値で表している。したがってこの数値を変更することにより、左側の画面レイアウトイメージを変更することができる。逆に、左側の画面レイアウトイメージを変更することにより、レイアウト設定画面の数値が変更される。
なお、図４では、表示枠３、４は設定されていないので、Ｘ座標、Ｙ座標、幅および高さは空白になっている。
更に、この発明では、表示部５０の設置方向を示すためレイアウト設定画面に、“設置方向”を備える。“設置方向”は、「横」と「縦」のデフォルトを表示し、図４では表示部５０が横方向に設置されていることを黒色のマークで表示している。
【００２０】
図５は、番組情報設定画面―テロップの設定画面の一例であり、図４に示したテロップ２に表示するテロップを作成するための画面≪番組情報設定画面―テロップ２≫を示す。図５の左側は図４に示したテロップ２にスクロール表示する文字列を示している。このようなテロップは、入力部３０から入力してもよいし、ネットワーク２０から取得してもよい。ここでは「大感謝セール・・・・・発売中です。」が入力或いは選択されたことを示している。この例ではテロップは文字列で示しているが、テロップは文字に限らず、絵、写真や漫画のような静止画、或いはアニメーションや動画などの画像、或いはこれらの組み合わせ画像であってもよい。
図５の右側には、テロップ２の属性データを設定するための入力画面を示し、この入力画面はデフォルトにより入力するようになっている。図５の右側には、記述形式、文字方向、フォント種、フォントサイズ、文字色、言語種、背景色、表示方向、表示速度などが設定できるようになっている。
【００２１】
記述形式の「そのまま」とは、左画面に表示されたテロップをそのままに表示する場合を設定するものであり、「ＨＴＭＬ形式」とは、テロップ２の表示をＨＴＭＬ形式により設定し、その書体、装飾または言語を設定するものである。
文字方向は、テロップを形成する文字の並び方向を設定するものであり、デフォルトは縦書きと横書きを表示し、図５は横書きが選択された場合を示している。ここでは文字方向として表しているが、テロップが文字でない場合はテロップを構成する絵、写真、漫画、静止画、アニメーションまたは動画の並び方向であってもよい。
フォント種は明朝体、ゴシック体、楷書体などである。図では明朝体が選択されている。
フォントサイズは、１文字のサイズを表すドット数であり、例えば、７〜５００が設定可能であり、図は１８０ドットを設定している。
文字色は、赤色、青色、緑色、蛍光色などであり、図５では黒色が選択されている。
背景色は、テロップ２を表示する表示領域の背景色、例えば文字色の反対色を設定する。図５では白色が選択されている。
表示方向はテロップのスクロール方向であり、デフォルトは右から左と、下から上があり、図では右から左が選択されている。
表示速度は、テロップのスクロールの移動速度であり、テロップ画面上をテロップを形成するドットがスクロールする１秒間当りの移動速度が設定される。図は遅いと速いの間を移動させてスクロール速度を設定するつまみを表している。テロップを小さい部分に分割して各テロップ部分を切換え表示する場合は、その切換え時間が表示速度として設定される。
【００２２】
図５に示したテロップおよび属性データは一例であり、テロップが絵、写真、漫画、アニメーションや動画の場合は、これらに関する属性データを入力してもよいし、また図５の属性データを全部入力しなくてもかまわない。
以上のように、図４の画面により入力または設定されたレイアウトのデータは、番組情報蓄積部１４０に、図５の画面により入力または設定されたテロップのデータは、テロップデータ蓄積部１３０にそれぞれ蓄積される。
また、図４、図５の画面は、入力部４０により、ユーザが表示させたいテロップを選択し、検出したい属性データを入力し、またはテロップ表示領域の大きさを設定する場合に、その確認画面としても利用される。
【００２３】
図６（ａ）は、テロップの横書きスクロールを説明する図であり、上１行に示したテロップから順次下方のように表示され、その結果、表示領域にテロップが左から右方向へスクロール表示される様子を示している。図６（ｂ）は、テロップの縦書きスクロールを説明する図であり、左側１行に示したテロップから順次右側に示すように、下から上方向へスクロール表示される様子を示している。
【００２４】
次に本発明のテロップ表示制御装置の動作をフローチャートにしたがって説明する。
図７は、入力部４０により表示すべきテロップが入力または選択され、図４、図５により確認されたテロップを、テロップ表示領域の大きさにより表示速度を制御する処理を説明するフローチャートである。
このフローチャートは、制御部１０が本発明の記録媒体１００に格納したプログラムを読み出して、順次各ステップを実行することにより実現される。以下に説明するフローチャートも同様である。
【００２５】
ユーザまたはテロップ表示装置によってテロップ表示が指示されると、ステップＳ１０１で、テロップデータ蓄積部１３０より“テロップの文字方向”の設定値を取得する。次のステップＳ１０２では、テロップの文字方向が横方向かどうか判定する。横方向である場合は、次のステップＳ１０３に進み、テロップデータ蓄積部１３０から“テロップの幅”の設定値を取得する。その数値をテロップ表示領域の大きさとして、Ｗｘに入れる。テロップの文字方向が横方向でない場合、即ち縦方向である場合は、ステップＳ１０４に進み、テロップデータ蓄積部１３０から“テロップの高さ”の設定値を取得する。その数値をテロップ表示領域の大きさとして、Ｗｘに入れる。次のステップＳ１０５では、ステップＳ１０３またはＳ１０４で入れられたテロップ表示領域の大きさ（Ｗｘ）に応じた表示速度（Ｖｘ）を算出する。表示速度の算出式は、例えば、次のとおりである。
Ｖｘ＝ａ×Ｗｘ＋ｂ  ・・・  式１
ａ，ｂ：定数
【００２６】
このようにして算出された表示速度をＶｘに入れる。そして、ステップＳ１０６では表示速度Ｖｘでテロップを表示するようテロップ表示速度制御部１６０を制御する。
上記式１は、一次式であるので、図８に示すように初期設定速度ｂ、表示速度の傾きａで示されるように、テロップ表示領域の表示方向の大きさと表示速度は直線的関係になる。しかし式１を変更することにより曲線的関係に変えることができ、曲線は二次曲線であっても三次曲線であってもよい。
このように表示速度を制御することにより、テロップ表示領域の表示方向の大きさが小さい場合はテロップが見難くなるので表示速度を遅くして、確実に視認できるようにする。換言すればテロップの表示方向の長さが大きい場合は、テロップの表示速度を速くし、テロップが小さい場合はテロップの表示速度を遅くして、視聴者に確実にテロップを全部見せることができる。
上記図７のフローチャートは、テロップの幅または高さにより速度制御する場合であるが、図２、図３に示すように、表示部５０の中にテロップ１またはテロップ２を表示するため、テロップ表示領域が設定され、そのテロップ表示領域の大きさが変更される場合がある。その場合は、図７のフローチャートにおいて、テロップの幅または高さに、“テロップ表示領域の幅（または高さ）”をＷｘとして入れ、式１により表示速度を算出することにより、同様に制御することができる。
また、この実施形態１は、テロップが文字である場合を説明したが、テロップが絵、写真や漫画のような静止画、或いはアニメーションや画像のような動画を含む場合も、これらの幅または高さの情報を取得することにより、同様に実施することができる。
【００２７】
（実施形態２）
図９は、表示部の設置方向によって表示速度を制御する処理を示すフローチャートである。図１のブロック図、図２のテロップデータ、図３の表示形態、図４および図５の番組情報設定画面、図６のテロップのスクロールは、実施形態１と同じである。以下の実施形態も同様である。
ユーザまたはテロップ表示装置によってテロップ表示が指示されると、ステップＳ２０１で、番組情報蓄積部１４０より“設置方向”の設定値を取得する。次のステップＳ２０２では、表示領域の設置方向が横方向かどうか判定する。横方向である場合は、次のステップＳ２０３に進み、表示速度Ｖｘを横表示用の速度Ｖｙとして設定する。表示部の設置方向が縦方向である場合は、ステップＳ２０４に進み、表示速度Ｖｘを縦表示用の速度Ｖｔとして設定する。次のステップＳ２０５では、ステップＳ２０３またはＳ２０４で入れられた画面の方向に応じた表示速度でテロップを表示するようテロップ表示速度制御部１６０を制御する。
これにより、表示部５０の設置方向に対応した表示速度でテロップを表示することができる。
【００２８】
（実施形態３）
図１０のフローチャートは、表示文字の大きさに応じて表示速度を制御する処理を説明するフローチャートである。ユーザまたはテロップ表示装置によってテロップ表示が指示されると、ステップＳ３０１で、テロップデータ蓄積部１３０より“フォントサイズ”の設定値を取得し、その設定値をＳｘに入れる。次のステップＳ３０２では、フォントサイズに応じた表示速度（Ｖｘ）を算出する。表示速度の算出式は、例えば、次のとおりである。
Ｖｘ＝ａ×Ｓｘ＋ｂ  ・・・  式２
ａ，ｂ：定数
【００２９】
このようにして算出された表示速度をＶｘに入れる。そして、ステップＳ３０３では表示速度Ｖｘでテロップを表示するようテロップ表示速度制御部１６０を制御する。
このようにして、図１１に示すように、フォントサイズの小さいテロップは表示速度を遅くして読みやすくし、フォントサイズの大きいテロップは表示速度を速くして見せ、視聴者に確実にテロップを見せることができる。
上記式２は、一次式であるので、フォントサイズと表示速度は直線的関係になるが、式２を変更することにより曲線的関係に変えることができる。また曲線は二次曲線であっても三次曲線であってもよい。
ここで、フォントサイズは、テロップが文字である場合であるが、テロップが絵、漫画、写真、アニメーションまたは動画の場合は、それらの大きさによって制御するとよい。
【００３０】
（実施形態４）
次に、テロップの文字数により表示速度を制御する方法を図１２のフローチャートにより説明する。
ユーザまたはテロップ表示制御装置によって、処理フローが指示されると、ステップＳ４０１では、テロップデータ蓄積部１３０から“記述形式”の設定値を取得し、ＨＴＭＬ形式とそのまま表示を判別する。図５の例の場合、そのままが設定されるので、図２（ｂ）の凡例からそのままの設定値０を取得する。次のステップＳ４０２では、文字数カウンタＣｘを初期化する。次にステップＳ４０３で、テロップデータ蓄積部１３０の“文字列”格納エリアの先頭位置にポインタ（Ｐｔ）をセットする。
【００３１】
次に、ステップＳ４０４で、ポインタの中身が空かどうか判定する。中身がある場合は、ステップＳ４０５で、その中身が前括弧“＜”かどうか判定する。前括弧である場合は、ステップＳ４０６で、ＨＴＭＬ形式かどうか解析する。ＨＴＭＬ形式である場合は、ステップＳ４０７で、以降の文字列はＨＴＭＬタグであるかどうかチェックする。ＨＴＭＬタグである場合は、ステップＳ４０８で、ＨＴＭＬタグの終了までポインタＰｔを移動させ、ステップＳ４０９をスキップさせて、ステップＳ４１０に進む。これにより、ＨＴＭＬタグは文字数としてカウントされないようにする。
上記ステップＳ４０５、Ｓ４０６、Ｓ４０７において、ｎｏの場合は、ステップＳ４０９で文字数カウンタＣｘを１つカウントアップして、ステップＳ４１０に進み、次の文字位置へポインタを移動させ、ステップＳ４０５に戻る。
【００３２】
上記ステップＳ４０４で、中身が空である場合、ステップＳ４１１に進み、テロップ表示文字の文字数（Ｃｘ）に応じた表示速度を算出する。表示速度の算出式は、例えば、次のとおりである。
Ｖｘ＝ａ×Ｃｘ＋ｂ  ・・・  式３
ａ，ｂ：定数
そして、ステップＳ４１２では、表示速度Ｖｘでテロップを表示するようテロップ表示速度制御部１６０を制御する。
このようにして、文字数の少ないテロップは表示速度を遅くして読みやすくし、文字数の多いテロップは表示速度を速くして見せ、視聴者に確実にテロップを見せることができる。
上記式３は、一次式であるので、文字数と表示速度は直線的関係になるが、式３を変更することにより曲線的関係に変えることができる。曲線は二次曲線であっても三次曲線であってもよい。
ここではテロップが文字である場合を説明したが、絵、写真、漫画、アニメーション、動画の場合は、テロップを構成するこれらの各部分の数を計数して、同様に処理することができる。
【図面の簡単な説明】
【００３３】
【図１】テロップ表示速度制御装置のブロック図である。
【図２】テロップデータの説明図である。
【図３】テロップの表示形態の説明図である。
【図４】テロップの番組情報設定画面―レイアウトの設定図である。
【図５】テロップの番組情報設定画面―テロップ２の設定図である。
【図６】テロップのスクロール説明図である。
【図７】表示領域の大きさによって表示速度を制御するフローチャートである。
【図８】表示領域の大きさと表示速度の関係を説明する関係図である。
【図９】設置方向によって表示速度を制御するフローチャートである。
【図１０】表示文字の大きさによって表示速度を制御するフローチャートである。
【図１１】表示文字が大きい場合と、表示文字が小さい場合の表示例を説明する図である。
【図１２】表示文字の文字数によって表示速度を制御するするフローチャートである。
【符号の説明】
【００３４】
１０  制御部
４０  入力部
５０  表示部
７０  ＲＯＭ
８０  ＲＡＭ
９０  不揮発メモリ
１００  記録媒体
１１０  動画データ蓄積部
１２０  画像データ蓄積部
１３０  テロップデータ蓄積部
１４０  番組情報蓄積部
１５０  テロップデータ解析部
１６０  テロップ表示速度制御部
１７０  テロップ表示時間制御部
１８０  テロップ表示方向制御部
【図１】
2008170544.tif 000003
【図２】
2008170544.tif 000004
【図６】
2008170544.tif 000005
【図７】
2008170544.tif 000006
【図８】
2008170544.tif 000007
【図９】
2008170544.tif 000008
【図１０】
2008170544.tif 000009
【図１１】
2008170544.tif 000010
【図１２】
2008170544.tif 000011
【図３】
2008170544.tif 000012
【図４】
2008170544.tif 000013
【図５】
2008170544.tif 000014